(57)【特許請求の範囲】
【請求項１】
直流電流が供給されることにより作動するエアコンディショナーのコンプレッサと、
ブレーカを介して交流電流が供給されるとこの交流電流を直流電流に変換して出力する直流電源回路と、
前記直流電源回路と前記コンプレッサとを結ぶメインラインに介装されたメインスイッチ手段と、
前記直流電源回路と前記コンプレッサとを結ぶ充電ラインに介装された電気二重層キャパシタと、
前記充電ラインのうち前記直流電源回路と前記電気二重層キャパシタとの間に介装された充電スイッチ手段、及び、前記充電ラインのうち前記電気二重層キャパシタと前記コンプレッサとの間に介装された放電スイッチ手段と、
起動スイッチが接続された制御部とを有し、
前記制御部は、前記電気二重層キャパシタに充電をする際には前記充電スイッチ手段を投入させ充電が完了したら前記充電スイッチ手段を開放すると共に、前記起動スイッチが投入されたら、まず前記放電スイッチ手段を投入して前記電気二重層キャパシタから前記コンプレッサに電流を供給し、その後に前記メインスイッチ手段を投入して前記直流電源回路から前記コンプレッサに電流を供給する制御を行うことを特徴とするエアコンディショナーの起動回路。
【請求項２】
直流電流が供給されることにより作動するエアコンディショナーのコンプレッサと、
ブレーカを介して交流電流が供給されるとこの交流電流を直流電流に変換して出力する直流電源回路と、
前記直流電源回路と前記コンプレッサとを結ぶメインラインに介装されたメインスイッチ手段と、
前記直流電源回路と前記コンプレッサとを結ぶ充電ラインに介装された電気二重層キャパシタと、
前記充電ラインのうち前記直流電源回路と前記電気二重層キャパシタとの間に介装された充電スイッチ手段、及び、前記充電ラインのうち前記電気二重層キャパシタと前記コンプレッサとの間に介装された放電スイッチ手段と、
起動スイッチが接続された制御部とを有し、
前記制御部は、前記電気二重層キャパシタに充電をする際には前記充電スイッチ手段を投入させ充電が完了したら前記充電スイッチ手段を開放すると共に、前記起動スイッチが投入されたら、前記放電スイッチ手段を投入して前記電気二重層キャパシタから前記コンプレッサに電流を供給し、同時に前記メインスイッチ手段を投入して前記直流電源回路から前記コンプレッサに電流を供給する制御を行うことを特徴とするエアコンディショナーの起動回路。
【請求項３】
交流電流が供給されることにより作動するエアコンディショナーのコンプレッサと、
ブレーカを介して交流電流が供給されて交流電流を出力する交流電源回路と、
前記交流電源回路と前記コンプレッサとを結ぶメインラインに介装されたメインスイッチ手段と、
ブレーカを介して交流電流が供給されるとこの交流電流を直流電流に変換して出力する直流電源回路と、
前記直流電源回路と前記コンプレッサとを結ぶ充電ラインに介装された電気二重層キャパシタと、
前記充電ラインのうち前記直流電源回路と前記電気二重層キャパシタとの間に介装された充電スイッチ手段、及び、前記充電ラインのうち前記電気二重層キャパシタと前記コンプレッサとの間に介装された直流／交流変換器、並びに、前記充電ラインのうち前記電気二重層キャパシタと前記直流／交流変換器との間に介装された放電スイッチ手段と、
起動スイッチが接続された制御部とを有し、
前記制御部は、前記電気二重層キャパシタに充電をする際には前記充電スイッチ手段を投入させ充電が完了したら前記充電スイッチ手段を開放すると共に、前記起動スイッチが投入されたら、まず前記放電スイッチ手段を投入して前記電気二重層キャパシタから前記直流／交流変換器を介して前記コンプレッサに電流を供給し、その後に前記メインスイッチ手段を投入して前記交流電源回路から前記コンプレッサに電流を供給する制御を行うことを特徴とするエアコンディショナーの起動回路。
【請求項４】
交流電流が供給されることにより作動するエアコンディショナーのコンプレッサと、
ブレーカを介して交流電流が供給されて交流電流を出力する交流電源回路と、
前記交流電源回路と前記コンプレッサとを結ぶメインラインに介装されたメインスイッチ手段と、
ブレーカを介して交流電流が供給されるとこの交流電流を直流電流に変換して出力する直流電源回路と、
前記直流電源回路と前記コンプレッサとを結ぶ充電ラインに介装された電気二重層キャパシタと、
前記充電ラインのうち前記直流電源回路と前記電気二重層キャパシタとの間に介装された充電スイッチ手段、及び、前記充電ラインのうち前記電気二重層キャパシタと前記コンプレッサとの間に介装された直流／交流変換器、並びに、前記充電ラインのうち前記電気二重層キャパシタと前記直流／交流変換器との間に介装された放電スイッチ手段と、
起動スイッチが接続された制御部とを有し、
前記制御部は、前記電気二重層キャパシタに充電をする際には前記充電スイッチ手段を投入させ充電が完了したら前記充電スイッチ手段を開放すると共に、前記起動スイッチが投入されたら、前記放電スイッチ手段を投入して前記電気二重層キャパシタから前記直流／交流変換器を介して前記コンプレッサに電流を供給し、同時に前記メインスイッチ手段を投入して前記交流電源回路から前記コンプレッサに電流を供給する制御を行うことを特徴とするエアコンディショナーの起動回路。
【請求項５】
請求項１乃至請求項４の何れか一項において、前記メインスイッチ手段，前記充電スイッチ手段及び前記放電スイッチ手段はリレーにより構成されていることを特徴とするエアコンディショナーの起動回路。
【発明の詳細な説明】
【０００１】
【発明の属する技術分野】
本発明は、エアコンディショナーの起動回路に関し、エアコンディショナーを起動し始めたり、エアコンディショナーを停止した後に直ちに再起動した場合でも、ブレーカが切れないように工夫したものである。
【０００２】
【従来の技術】
１つのブレーカから複数のエアコンディショナーに電流を供給している場合において、全てのエアコンディショナーの電源を一旦切り、その直後に全てのエアコンディショナー電源を同時に再投入した場合には、大電流が流れブレーカの電源容量がオーバーしブレーカが切れる恐れがある。そこで従来技術では、エアコンディショナーの電源を一旦切った直後では、メイン回路に同時に電源が入らないように保護回路が設けられている。このため、すぐに電源再投入ができない機構となっている。
【０００３】
【発明が解決しようとする課題】
このように従来では、再投入時にはすぐに本体のスイッチが入らないため、本体が起動するまでのロス時間があり、本体起動待ち時間がロス時間となっていた。
【０００４】
本発明は、上記従来技術に鑑み、例えば、エアコンディショナーの電源を一旦切った直後に電源を再投入してもブレーカに過電流が流れることなく、エアコンディショナーの起動ができるようにした、エアコンディショナーの起動回路を提供することを目的とする。
【０００５】
【課題を解決するための手段】
上記課題を解決する本発明の構成は、直流電流が供給されることにより作動するエアコンディショナーのコンプレッサと、
ブレーカを介して交流電流が供給されるとこの交流電流を直流電流に変換して出力する直流電源回路と、
前記直流電源回路と前記コンプレッサとを結ぶメインラインに介装されたメインスイッチ手段と、
前記直流電源回路と前記コンプレッサとを結ぶ充電ラインに介装された電気二重層キャパシタと、
前記充電ラインのうち前記直流電源回路と前記電気二重層キャパシタとの間に介装された充電スイッチ手段、及び、前記充電ラインのうち前記電気二重層キャパシタと前記コンプレッサとの間に介装された放電スイッチ手段と、
起動スイッチが接続された制御部とを有し、
前記制御部は、前記電気二重層キャパシタに充電をする際には前記充電スイッチ手段を投入させ充電が完了したら前記充電スイッチ手段を開放すると共に、前記起動スイッチが投入されたら、まず前記放電スイッチ手段を投入して前記電気二重層キャパシタから前記コンプレッサに電流を供給し、その後に前記メインスイッチ手段を投入して前記直流電源回路から前記コンプレッサに電流を供給する制御を行うことを特徴とする。
【０００６】
また本発明の構成は、直流電流が供給されることにより作動するエアコンディショナーのコンプレッサと、
ブレーカを介して交流電流が供給されるとこの交流電流を直流電流に変換して出力する直流電源回路と、
前記直流電源回路と前記コンプレッサとを結ぶメインラインに介装されたメインスイッチ手段と、
前記直流電源回路と前記コンプレッサとを結ぶ充電ラインに介装された電気二重層キャパシタと、
前記充電ラインのうち前記直流電源回路と前記電気二重層キャパシタとの間に介装された充電スイッチ手段、及び、前記充電ラインのうち前記電気二重層キャパシタと前記コンプレッサとの間に介装された放電スイッチ手段と、
起動スイッチが接続された制御部とを有し、
前記制御部は、前記電気二重層キャパシタに充電をする際には前記充電スイッチ手段を投入させ充電が完了したら前記充電スイッチ手段を開放すると共に、前記起動スイッチが投入されたら、前記放電スイッチ手段を投入して前記電気二重層キャパシタから前記コンプレッサに電流を供給し、同時に前記メインスイッチ手段を投入して前記直流電源回路から前記コンプレッサに電流を供給する制御を行うことを特徴とする。
【０００７】
また本発明の構成は、交流電流が供給されることにより作動するエアコンディショナーのコンプレッサと、
ブレーカを介して交流電流が供給されて交流電流を出力する交流電源回路と、
前記交流電源回路と前記コンプレッサとを結ぶメインラインに介装されたメインスイッチ手段と、
ブレーカを介して交流電流が供給されるとこの交流電流を直流電流に変換して出力する直流電源回路と、
前記直流電源回路と前記コンプレッサとを結ぶ充電ラインに介装された電気二重層キャパシタと、
前記充電ラインのうち前記直流電源回路と前記電気二重層キャパシタとの間に介装された充電スイッチ手段、及び、前記充電ラインのうち前記電気二重層キャパシタと前記コンプレッサとの間に介装された直流／交流変換器、並びに、前記充電ラインのうち前記電気二重層キャパシタと前記直流／交流変換器との間に介装された放電スイッチ手段と、
起動スイッチが接続された制御部とを有し、
前記制御部は、前記電気二重層キャパシタに充電をする際には前記充電スイッチ手段を投入させ充電が完了したら前記充電スイッチ手段を開放すると共に、前記起動スイッチが投入されたら、まず前記放電スイッチ手段を投入して前記電気二重層キャパシタから前記直流／交流変換器を介して前記コンプレッサに電流を供給し、その後に前記メインスイッチ手段を投入して前記交流電源回路から前記コンプレッサに電流を供給する制御を行うことを特徴とする。
【０００８】
また本発明の構成は、交流電流が供給されることにより作動するエアコンディショナーのコンプレッサと、
ブレーカを介して交流電流が供給されて交流電流を出力する交流電源回路と、
前記交流電源回路と前記コンプレッサとを結ぶメインラインに介装されたメインスイッチ手段と、
ブレーカを介して交流電流が供給されるとこの交流電流を直流電流に変換して出力する直流電源回路と、
前記直流電源回路と前記コンプレッサとを結ぶ充電ラインに介装された電気二重層キャパシタと、
前記充電ラインのうち前記直流電源回路と前記電気二重層キャパシタとの間に介装された充電スイッチ手段、及び、前記充電ラインのうち前記電気二重層キャパシタと前記コンプレッサとの間に介装された直流／交流変換器、並びに、前記充電ラインのうち前記電気二重層キャパシタと前記直流／交流変換器との間に介装された放電スイッチ手段と、
起動スイッチが接続された制御部とを有し、
前記制御部は、前記電気二重層キャパシタに充電をする際には前記充電スイッチ手段を投入させ充電が完了したら前記充電スイッチ手段を開放すると共に、前記起動スイッチが投入されたら、前記放電スイッチ手段を投入して前記電気二重層キャパシタから前記直流／交流変換器を介して前記コンプレッサに電流を供給し、同時に前記メインスイッチ手段を投入して前記交流電源回路から前記コンプレッサに電流を供給する制御を行うことを特徴とする。
【０００９】
また本発明の構成は、前記メインスイッチ手段，前記充電スイッチ手段及び前記放電スイッチ手段はリレーにより構成されていることを特徴とする。
【００１０】
【発明の実施の形態】
以下に本発明の実施の形態を図面に基づき詳細に説明する。
【００１１】
本発明の各実施の形態では、起動時において、電気二重層キャパシタからエアコンディショナーのコンプレッサに電力を供給することにより、ブレーカに流れる電流が過電流にならないように工夫している。この電気二重層キャパシタは、従来のアルミ電解コンデンサ等に比較して静電容量が桁違いに大きく電気エネルギーの貯蔵ができる。電気二重層キャパシタは分極性電極に電解質のアニオン，カチオンを正極，負極表面に物理吸着させて電極を蓄えることを原理としている。
【００１２】
〔第１の実施の形態〕
図１は本発明の第１の実施の形態にかかるエアコンディショナーの起動回路を示す回路図である。同図に示すように、エアコンディショナーのコンプレッサ１は、冷媒を圧送する機器であり、このコンプレッサ１は直流電流が供給されると作動するタイプのものである。一方、直流電源回路２は、ブレーカ３を介して商用電源４から交流電流が供給されており、この交流電流を直流電流に変換して出力する。直流電源回路２から出力された直流電流は、メインリレー（スイッチ手段）Ｍ１が介装されたメインラインＬ１を通ってコンプレッサ１に送られる。
【００１３】
充電ラインＬ２は、直流電源回路２とコンプレッサ１とを結ぶ状態で配線されており、この充電ラインＬ２には電気二重層キャパシタ５が介装されている。更に、充電ラインＬ２のうち直流電源回路２と電気二重層キャパシタ５との間には充電リレー（スイッチ手段）Ｍ３が介装され、充電ラインＬ２のうち電気二重層キャパシタ５とコンプレッサ１との間には放電リレー（スイッチ手段）Ｍ２が介装されている。
【００１４】
更に、コンプレッサ１の起動を制御する制御部６が備えられており、この制御部６には起動スイッチ７が接続されている。起動スイッチ７は、操作者がリモコンにより遠隔操作して投入・開放される。
【００１５】
このような構成となっているエアコンディショナーの起動回路では、電気二重層キャパシタ５の電圧は電圧センサ（図示省略）により検出されている。そして、電気二重層キャパシタ５の電圧が低いときには、制御部６は充電リレーＭ３を投入し直流電源回路２から直流電流を送って充電をする。電気二重層キャパシタ５の電圧が規定電圧以上になったら充電が完了したと判断して、充電リレーＭ３を開放する。
【００１６】
起動スイッチ７が投入されたときには、制御部６はコンプレッサ１に直流電流を供給し始める起動動作をする。起動動作としては、つぎの２つの起動動作パターンが制御部６に設定されており、何れかの起動動作パターンを選択することができる。
【００１７】
第１の起動動作パターンを、図１及び図２を参照して説明する。起動スイッチ７が投入されたら、制御部６は、まずメインリレーＭ１を開放した状態で放電リレーＭ２を投入する。そうすると、電気二重層キャパシタ５からコンプレッサ１に直流電流が供給されてコンプレッサ１が作動し始める。コンプレッサ１が作動し始めた期間では、コンプレッサ１に供給される電流Ｉの値は定格電流値Ｉs を越える過電流となる。図２において斜線を施した部分は、電気二重層キャパシタ５から供給した電流を示している。
【００１８】
放電リレーＭ２を投入してから一定時間が経過してコンプレッサ１に供給される電流Ｉの値が定格電流値Ｉs に近づいてきたら、制御部６は、メインリレーＭ１を投入して、放電リレーＭ２を開放する。そうすると直流電源回路２からコンプレッサ１に直流電流が供給されコンプレッサ１の動作が継続すると共に、電気二重層キャパシタ５からコンプレッサ１への電流供給が停止される。このとき、直流電源回路２からコンプレッサ１に供給する電流は略定格電流であり、ブレーカ３には過電流が流れることはない。
【００１９】
起動スイッチ７が開放されたら、制御部６はメインリレーＭ１を開放する。これにより、コンプレッサ１への電流供給が停止され、コンプレッサ１が停止する。
【００２０】
起動スイッチ７が開放された後に直ちに起動スイッチ７が再投入されたときには、制御部６は通常の始動時と同様に、まずメインリレーＭ１を開放した状態で放電リレーＭ２を投入し、コンプレッサ１に供給される電流Ｉの値が定格電流値Ｉs に近づいてきたら、メインリレーＭ１を投入して放電リレーＭ２を開放する。このようにすることにより、再起動時においても、ブレーカ３に過電流が流れることはない。
【００２１】
第２の起動動作パターンを、図１及び図３を参照して説明する。起動スイッチ７が投入されたら、制御部６は、メインリレーＭ１を投入すると同時に放電リレーＭ２を投入する。そうすると、電源回路２からコンプレッサ１に直流電流が供給されると共に、電気二重層キャパシタ５からコンプレッサ１に直流電流が供給されて、コンプレッサ１が作動し始める。コンプレッサ１が作動し始めた期間では、コンプレッサ１に供給される電流Ｉの値は定格電流値Ｉs を越える過電流となる。しかし、直流電源回路２と電気二重層キャパシタ５の両方から電流供給をしているため、ブレーカ３には過電流が流れることはない。なお、図３において斜線を施した部分は、電気二重層キャパシタ５から供給した電流を示している。
【００２２】
メインリレーＭ１及び放電リレーＭ２を投入してから一定時間が経過してコンプレッサ１に供給される電流Ｉの値が定格電流値Ｉs に近づいてきたら、制御部６は、メインリレーＭ１の投入を維持したまま、放電リレーＭ２を開放する。そうすると直流電源回路２からのみコンプレッサ１に直流電流が供給されてコンプレッサ１の動作が継続すると共に、電気二重層キャパシタ５からコンプレッサ１への電流供給が停止される。このとき、直流電源回路２からコンプレッサ１に供給する電流は略定格電流であり、ブレーカ３には過電流が流れることはない。
【００２３】
起動スイッチ７が開放されたら、制御部６はメインリレーＭ１を開放する。これにより、コンプレッサ１への電流供給が停止され、コンプレッサ１が停止する。
【００２４】
起動スイッチ７が開放された後に直ちに起動スイッチ７が再投入されたときには、制御部６は通常の始動時と同様に、まずメインリレーＭ１及び放電リレーＭ２を同時に投入し、コンプレッサ１に供給される電流Ｉの値が定格電流値Ｉs に近づいてきたら、メインリレーＭ１を投入したままで放電リレーＭ２を開放する。このようにすることにより、再起動時においても、ブレーカ３に過電流が流れることはない。
【００２５】
上述した起動回路をコンプレッサ毎に備えておけば、１つのブレーカから複数のコンプレッサに電流を供給するようになっている場合においても、複数のコンプレッサを同時に起動（または再起動）しても、ブレーカには、過電流が流れることはない。つまり、ブレーカには、（定格電流×コンプレッサ台数）の電流が流れるだけであり、ブレーカの電流容量をコンプレッサ台数に合わせて設定しておけば、ブレーカが切れることはない。この場合、起動時に必要とされる過電流分は、それぞれの電気二重層キャパシタからコンプレッサに供給される。
【００２６】
〔第２の実施の形態〕
図４は本発明の第２の実施の形態にかかるエアコンディショナーの起動回路を示す回路図である。同図に示すように、エアコンディショナーのコンプレッサ１１は、冷媒を圧送する機器であり、このコンプレッサ１１は交流電流が供給されると作動するタイプのものである。一方、交流電源回路１２は、ブレーカ１３を介して商用電源１４から交流電流が供給されており、この交流電流を所定電圧・所定周波数の交流電流に変換して出力する。交流電源回路１２から出力された交流電流は、メインリレー（スイッチ手段）Ｍ１１が介装されたメインラインＬ１１を通ってコンプレッサ１１に送られる。
【００２７】
直流電源回路１８は、ブレーカ１３を介して商用電源１４から交流電流が供給されており、この交流電流を直流電流に変換して出力する。充電ラインＬ１２は、直流電源回路１８とコンプレッサ１１とを結ぶ状態で配線されており、この充電ラインＬ１２には電気二重層キャパシタ１５が介装されている。更に、充電ラインＬ１２のうち直流電源回路１８と電気二重層キャパシタ１５との間には充電リレー（スイッチ手段）Ｍ１３が介装され、充電ラインＬ１２のうち電気二重層キャパシタ１５とコンプレッサ１１との間には直流電流を交流電流に変換する直流／交流変換器１９が介装され、充電ラインＬ１２のうち電気二重層キャパシタ１５と直流／交流変換器１９との間には放電リレー（スイッチ手段）Ｍ１２が介装されている。
【００２８】
更に、コンプレッサ１１の起動を制御する制御部１６が備えられており、この制御部１６には起動スイッチ１７が接続されている。起動スイッチ１７は、操作者がリモコンにより遠隔操作して投入・開放される。
【００２９】
このような構成となっているエアコンディショナーの起動回路では、電気二重層キャパシタ１５の電圧は電圧センサ（図示省略）により検出されている。そして、電気二重層キャパシタ１５の電圧が低いときには、制御部１６は充電リレーＭ１３を投入し直流電源回路１８から直流電流を送って充電をする。電気二重層キャパシタ１５の電圧が規定電圧以上になったら充電が完了したと判断して、充電リレーＭ１３を開放する。
【００３０】
起動スイッチ１７が投入されたときには、制御部１６はコンプレッサ１１に交流電流を供給し始める起動動作をする。起動動作としては、つぎの２つの起動動作パターンが制御部１６に設定されており、何れかの起動動作パターンを選択することができる。
【００３１】
第１の起動動作パターンを、図４及び図５を参照して説明する。起動スイッチ１７が投入されたら、制御部１６は、まずメインリレーＭ１１を開放した状態で放電リレーＭ１２を投入する。そうすると、電気二重層キャパシタ１５から直流電流が出力され、この直流電流は直流／交流変換器１９にて交流電流に変換され、この交流電流がコンプレッサ１１に供給されてコンプレッサ１１が作動し始める。コンプレッサ１１が作動し始めた期間では、コンプレッサ１１に供給される電流ｉの値は定格電流値ｉs を越える過電流となる。図５において斜線を施した部分は、電気二重層キャパシタ５から出力され直流／交流変換器１９にて交流電流に変換されてからコンプレッサ１１に供給される電流を示している。
【００３２】
放電リレーＭ１２を投入してから一定時間が経過してコンプレッサ１１に供給される電流ｉの値が定格電流値ｉs に近づいてきたら、制御部１６は、メインリレーＭ１１を投入して、放電リレーＭ１２を開放する。そうすると交流電源回路１２からコンプレッサ１１に交流電流が供給されコンプレッサ１１の動作が継続すると共に、電気二重層キャパシタ１５からコンプレッサ１１への電流供給が停止される。このとき、交流電源回路１２からコンプレッサ１１に供給する電流は略定格電流であり、ブレーカ１３には過電流が流れることはない。
【００３３】
起動スイッチ１７が開放されたら、制御部１６はメインリレーＭ１１を開放する。これにより、コンプレッサ１１への電流供給が停止され、コンプレッサ１１が停止する。
【００３４】
起動スイッチ１７が開放された後に直ちに起動スイッチ１７が再投入されたときには、制御部１６は通常の始動時と同様に、まずメインリレーＭ１１を開放した状態で放電リレーＭ１２を投入し、コンプレッサ１１に供給される電流ｉの値が定格電流値ｉs に近づいてきたら、メインリレーＭ１１を投入して放電リレーＭ１２を開放する。このようにすることにより、再起動時においても、ブレーカ１３に過電流が流れることはない。
【００３５】
第２の起動動作パターンを、図４及び図６を参照して説明する。起動スイッチ１７が投入されたら、制御部１６は、メインリレーＭ１１を投入すると同時に放電リレーＭ１２を投入する。そうすると、電源回路１２からコンプレッサ１１に交流電流が供給されると共に、電気二重層キャパシタ１５から出力され直流／交流変換器１９にて変換された交流電流がコンプレッサ１１に供給されて、コンプレッサ１１が作動し始める。コンプレッサ１１が作動し始めた期間では、コンプレッサ１１に供給される電流ｉの値は定格電流値ｉs を越える過電流となる。しかし、交流電源回路１２と電気二重層キャパシタ１５の両方から電流供給をしているため、ブレーカ１３には過電流が流れることはない。なお、図６において斜線を施した部分は、電気二重層キャパシタ１５から出力され直流／交流変換器１９にて変換されてコンプレッサ１１に供給される電流を示している。
【００３６】
メインリレーＭ１１及び放電リレーＭ１２を投入してから一定時間が経過してコンプレッサ１１に供給される電流ｉの値が定格電流値ｉs に近づいてきたら、制御部１６は、メインリレーＭ１１の投入を維持したまま、放電リレーＭ１２を開放する。そうすると交流電源回路１２からのみコンプレッサ１１に交流電流が供給されてコンプレッサ１１の動作が継続すると共に、電気二重層キャパシタ１５からコンプレッサ１１への電流供給が停止される。このとき、交流電源回路１２からコンプレッサ１１に供給する電流は略定格電流であり、ブレーカ１３には過電流が流れることはない。
【００３７】
起動スイッチ１７が開放されたら、制御部１６はメインリレーＭ１１を開放する。これにより、コンプレッサ１１への電流供給が停止され、コンプレッサ１１が停止する。
【００３８】
起動スイッチ１７が開放された後に直ちに起動スイッチ１７が再投入されたときには、制御部１６は通常の始動時と同様に、まずメインリレーＭ１１及び放電リレーＭ１２を同時に投入し、コンプレッサ１１に供給される電流ｉの値が定格電流値ｉs に近づいてきたら、メインリレーＭ１１を投入したままで放電リレーＭ１２を開放する。このようにすることにより、再起動時においても、ブレーカ１３に過電流が流れることはない。
【００３９】
上述した起動回路をコンプレッサ毎に備えておけば、１つのブレーカから複数のコンプレッサに電流を供給するようになっている場合においても、複数のコンプレッサを同時に起動（または再起動）しても、ブレーカには、過電流が流れることはない。つまり、ブレーカには、（定格電流×コンプレッサ台数）の電流が流れるだけであり、ブレーカの電流容量をコンプレッサ台数に合わせて設定しておけば、ブレーカが切れることはない。この場合、起動時に必要とされる過電流分は、それぞれの電気二重層キャパシタからコンプレッサに供給される。
【００４０】
【発明の効果】
以上実施の形態と共に具体的に説明したように本発明では、エアコンディショナーのコンプレッサを起動する場合には、電気二重層キャパシタから電流を供給するようにしているため、ブレーカには過電流が流れることはなく、ブレーカが切れることなく起動や再起動をすることができる。
【図面の簡単な説明】
【図１】本発明の第１の実施の形態にかかるエアコンディショナーの起動回路を示す回路図である。
【図２】第１の実施の形態における第１の起動動作パターンでの電流状態を示す特性図である。
【図３】第１の実施の形態における第２の起動動作パターンでの電流状態を示す特性図である。
【図４】本発明の第２の実施の形態にかかるエアコンディショナーの起動回路を示す回路図である。
【図５】第２の実施の形態における第１の起動動作パターンでの電流状態を示す特性図である。
【図６】第２の実施の形態における第２の起動動作パターンでの電流状態を示す特性図である。
【符号の説明】
１，１１  コンプレッサ
２，１８  直流電源回路
１２  交流電源回路
３，１３  ブレーカ
４，１４  商用電源
５，１５  電気二重層キャパシタ
６，１６  制御部
７，１７  起動スイッチ
１９  直流／交流変換器
Ｍ１，Ｍ１１  メインリレー
Ｍ２，Ｍ１２  放電リレー
Ｍ３，Ｍ１３  充電リレー
【図１】
0004029580.tif 000002
【図２】
0004029580.tif 000003
【図３】
0004029580.tif 000004
【図４】
0004029580.tif 000005
【図５】
0004029580.tif 000006
【図６】
0004029580.tif 000007